(57)【要約】【課題】音声を伝導可能な物質に当接して共振による音声再生を可能にする共振スピーカを提供する。【解決手段】その上で収容部が成形してあり、収容部に応じて結合部が設けてある上蓋と、上蓋に当接するように、上蓋の収容部内に設置される上磁石と、上蓋の収容部に対向する貫通部が設けてあり、上磁石に対応するように、上蓋の収容部内に設置される位置決め具と、位置決め具の貫通部に貫入されて上磁石に当接する磁気駆動伸縮子と、位置決め具の上で設置される音声周波数コイルと、位置決め具に対応し、且つ磁気駆動伸縮子に当接する下磁石と、その上で収容部が成形してあり、収容部に応じて結合部が設けてあり、結合部が上蓋にある結合部と結合し、上蓋との間に共振空間を形成するように、収容部が下磁石に当接する下蓋と、前記下蓋に結合される振動伝導具と、を含む。【選択図】図１
0003136207.tif 000002
【実用新案登録請求の範囲】
【請求項１】
収容部が上方で成形してあり、前記収容部に応じて結合部が設けてある上蓋と、
前記上蓋に当接するように、前記上蓋の収容部内に設置される上磁石と、
前記上蓋の収容部に対向する貫通部が設けてあり、前記上磁石に対応するように、前記上蓋の収容部内に設置される位置決め具と、
前記位置決め具の貫通部に貫入されて前記上磁石に当接する磁気駆動伸縮子と、
前記位置決め具の上で設置される音声周波数コイルと、
前記位置決め具に対応し、且つ前記磁気駆動伸縮子に当接する下磁石と、
収容部が上方で成形してあり、前記収容部に応じて結合部が設けてあり、前記結合部が前記上蓋にある結合部と結合し、前記上蓋との間に共振空間を形成するように、前記収容部が前記下磁石に当接する下蓋と、
前記下蓋に結合される振動伝導具と、を含むことを特徴とする、
共振スピーカ。
【請求項２】
前記上蓋の収容部は円形の窪みであり、前記上蓋の結合部は外ねじであり、前記下蓋の収容部は円形の窪みであり、前記上蓋の結合部に対応する前記下蓋の結合部は内ねじであり、且つ前記下蓋の結合部の直径は前記上蓋の結合部よりも大きいことを特徴とする、請求項１に記載の共振スピーカ。
【請求項３】
前記上蓋は弾性を持つ金属素材で一体成形されたものであり、前記磁気駆動伸縮子は合金素材で一体成形されたものであり、前記音声周波数コイルはエナメル線によるコイルであり、前記下蓋は弾性を持つ金属素材で一体成形されたものであり、前記振動伝導具は減衰効果を持つゴム素材で一体成形されたものであることを特徴とする、請求項１に記載の共振スピーカ。
【請求項４】
収容部が上方で成形してあり、前記収容部に応じて結合部が設けてある上蓋と、
前記上蓋に当接するように、前記上蓋の収容部内に設置される上磁気伝導具と、
前記上蓋の収容部に対向する貫通部が設けてあり、前記上磁石に対応するように、前記上蓋の収容部内に設置される位置決め具と、
前記位置決め具の貫通部に貫入されて前記上磁石に当接する磁気駆動伸縮子と、
前記位置決め具の上で設置される音声周波数コイルと、
前記位置決め具に対応し、且つ前記磁気駆動伸縮子に当接する下磁気伝導具と、
収容部が上方で成形してあり、前記収容部に応じて結合部が設けてあり、前記結合部が前記上蓋にある結合部と結合し、前記上蓋との間に共振空間を形成するように、前記収容部が前記下磁気伝導具に当接する下蓋と、
前記下蓋に結合される振動伝導具と、を含むことを特徴とする、
共振スピーカ。
【請求項５】
前記上蓋の収容部は円形の窪みであり、前記上蓋の結合部は外ねじであり、前記下蓋の収容部は円形の窪みであり、前記上蓋の結合部に対応する前記下蓋の結合部は内ねじであり、且つ前記下蓋の結合部の直径は前記上蓋の結合部よりも大きいことを特徴とする、請求項４に記載の共振スピーカ。
【請求項６】
前記上蓋は弾性を持つ金属素材で一体成形されたものであり、前記磁気駆動伸縮子は合金素材で一体成形されたものであり、前記音声周波数コイルはエナメル線によるコイルであり、前記下蓋は弾性を持つ金属素材で一体成形されたものであり、前記振動伝導具は減衰効果を持つゴム素材で一体成形されたものであることを特徴とする、請求項４に記載の共振スピーカ。
【請求項７】
更に、エナメル線による磁気バイアスコイルを含み、前記位置決め具が同時に前記音声周波数コイルと前記磁気バイアスコイルとに囲まれるように、前記磁気バイアスコイルが前記音声周波数コイルの外周面に設置されることを特徴とする、請求項４に記載の共振スピーカ。
【考案の詳細な説明】
【技術分野】
【０００１】
本考案は、スピーカに係り、特に、音声を伝導可能な物質に当接して共振による音声再生を可能にする共振スピーカに関するものである。
【背景技術】
【０００２】
目下、市販しているスピーカは、人間が喉の共振によって話すことを真似して開発されたものであり、しかし、スピーカは電的エネから機械振動に変換して空気を媒体として音声を伝播するものであり、すなわち、スピーカがケーブルを介して音声周波数の電流と連接した後、スピーカにあるコイルに電流を流して磁界効果を発生して、前記コイルの両端に設けられた永久磁石によって正極が正極に対応しているときに、スピーカの振動フィルムが内側へ移動され、なお、負極が正極に対応しているときに、スピーカの振動フィルムが外側へ移動され、この瞬間的な移動は空気を騒動して音声が発生して、スピーカボックスにて音声が拡大される。
【考案の開示】
【考案が解決しようとする課題】
【０００３】
しかしながら、従来のスピーカは、スピーカボックスにて音声を拡大することが必要であり、そうすると、生産コストが向上し、且つ身の回りに携帯することができなく、使用可能の範囲が規制される。
【０００４】
本考案の主な目的は、音声を伝導可能な物質に当接して共振による音声再生を可能にする共振スピーカを提供することにある。
【課題を解決するための手段】
【０００５】
上記目的を達成するためになされた本願の考案は、その上で収容部が成形してあり、前記収容部に応じて結合部が設けてある上蓋と、前記上蓋に当接するように、前記上蓋の収容部内に設置される上磁石と、前記上蓋の収容部に対向する貫通部が設けてあり、前記上磁石に対応するように、前記上蓋の収容部内に設置される位置決め具と、前記位置決め具の貫通部に貫入されて前記上磁石に当接する磁気駆動伸縮子と、前記位置決め具の上で設置される音声周波数コイルと、前記位置決め具に対応し、且つ前記磁気駆動伸縮子に当接する下磁石と、その上で収容部が成形してあり、前記収容部に応じて結合部が設けてあり、前記結合部が前記上蓋にある結合部と結合し、前記上蓋との間に共振空間を形成するように、前記収容部が前記下磁石に当接する下蓋と、前記下蓋に結合される振動伝導具と、を含むことを特徴とする共振スピーカ。
【０００６】
本願の考案では、前記上蓋の収容部は円形の窪みであり、前記上蓋の結合部は外ねじであり、前記下蓋の収容部は円形の窪みであり、前記上蓋の結合部に対応する前記下蓋の結合部は内ねじであり、且つ前記下蓋の結合部の直径は前記上蓋の結合部よりも大きいことを特徴とする請求項１に記載の共振スピーカであることを要旨としている。
【０００７】
本願の考案では、前記上蓋は弾性を持つ金属素材で一体成形されたものであり、前記磁気駆動伸縮子は合金素材で一体成形されたものであり、前記音声周波数コイルはエナメル線によるコイルであり、前記下蓋は弾性を持つ金属素材で一体成形されたものであり、前記振動伝導具は減衰効果を持つゴム素材で一体成形されたものであることを特徴とする請求項１に記載の共振スピーカであることを要旨としている。
【０００８】
本願の考案では、その上で収容部が成形してあり、前記収容部に応じて結合部が設けてある上蓋と、前記上蓋に当接するように、前記上蓋の収容部内に設置される上磁気伝導具と、前記上蓋の収容部に対向する貫通部が設けてあり、前記上磁石に対応するように、前記上蓋の収容部内に設置される位置決め具と、前記位置決め具の貫通部に貫入されて前記上磁石に当接する磁気駆動伸縮子と、前記位置決め具の上で設置される音声周波数コイルと、前記位置決め具に対応し、且つ前記磁気駆動伸縮子に当接する下磁気伝導具と、その上で収容部が成形してあり、前記収容部に応じて結合部が設けてあり、前記結合部が前記上蓋にある結合部と結合し、前記上蓋との間に共振空間を形成するように、前記収容部が前記下磁気伝導具に当接する下蓋と、前記下蓋に結合される振動伝導具と、を含むことを特徴とする共振スピーカであることを要旨としている。
【０００９】
本願の考案では、前記上蓋の収容部は円形の窪みであり、前記上蓋の結合部は外ねじであり、前記下蓋の収容部は円形の窪みであり、前記上蓋の結合部に対応する前記下蓋の結合部は内ねじであり、且つ前記下蓋の結合部の直径は前記上蓋の結合部よりも大きいことを特徴とする請求項４に記載の共振スピーカであることを要旨としている。
【００１０】
本願の考案では、前記上蓋は弾性を持つ金属素材で一体成形されたものであり、前記磁気駆動伸縮子は合金素材で一体成形されたものであり、前記音声周波数コイルはエナメル線によるコイルであり、前記下蓋は弾性を持つ金属素材で一体成形されたものであり、前記振動伝導具は減衰効果を持つゴム素材で一体成形されたものであることを特徴とする請求項４に記載の共振スピーカであることを要旨としている。
【００１１】
本願の考案では、更に、エナメル線による磁気バイアスコイルを含み、前記位置決め具が同時に前記音声周波数コイルと前記磁気バイアスコイルとに囲まれるように、前記磁気バイアスコイルが前記音声周波数コイルの外周面に設置されることを特徴とする請求項４に記載の共振スピーカであることを要旨としている。
【考案の効果】
【００１２】
本考案の共振スピーカによれば、音声を伝導可能な物質に当接して共振による音声再生を可能にする効果がある。
【考案を実施するための最良の形態】
【００１３】
以下、添付図面を参照して本考案の好適な実施の形態を詳細に説明する。
【００１４】
まず、図１乃至図３を参照する。本考案の共振スピーカは、上蓋１０と、上磁石２０と、位置決め具３０と、磁気駆動伸縮子４０と、音声周波数コイル５０と、下磁石６０と、下蓋７０と、振動伝導具８０と、を含む。
【００１５】
前記上蓋１０は、弾性を持つ金属素材で一体成形されたものであり、その上面の中央で収容部１１が成形してあり、前記収容部１１は円形の窪みであり、前記上蓋１０の前記収容部１１の開放端の外壁面には、外ねじが設けられた結合部１２が成形される。
【００１６】
前記上磁石２０は、前記上蓋１０に当接するように、前記上蓋１０の収容部１１内に設置される。
【００１７】
前記位置決め具３０は、円筒形状を呈し、両端が開放している貫通部３１を有し、前記貫通部３１が前記上蓋１０の収容部１１に対向し、前記上磁石２０に対応するように、前記上蓋１０の収容部１１内に設置される。
【００１８】
前記磁気駆動伸縮子４０は、合金素材で一体成形されたものであり、その形状が前記位置決め具３０の貫通部３１に対応し、前記位置決め具３０の貫通部３１に貫入されて前記上磁石２０に当接する。
【００１９】
前記音声周波数コイル５０は、エナメル線によるコイルであり、前記位置決め具３０の外周面に巻き付けられた。
【００２０】
前記下磁石６０は、前記位置決め具３０に対応し、且つ前記磁気駆動伸縮子４０の他端に当接する。
【００２１】
前記下蓋７０は、弾性を持つ金属素材で一体成形されたものであり、その上面の中央で収容部７１が成形してあり、前記収容部７１は円形の窪みであり、前記下蓋７０の収容部７１の直径は前記上蓋１０の収容部１１よりも大きく、前記下蓋７０の前記収容部７１の開放端の内壁面には、内ねじが設けられた結合部７２が成形され、前記上蓋１０の結合部１２が前記下蓋７０の結合部７２と螺合し、且つ前記下蓋７０が前記下磁石６０、前記磁気駆動伸縮子４０、前記位置決め具３０と前記上磁石２０を圧制して前記上蓋１０に押付けるように、前記下蓋７０の収容部７１を前記下磁石６０に当接し、前記下蓋７０と前記上蓋との間に共振空間Ａが形成される。
【００２２】
前記振動伝導具８０は、円形を呈する片体であり、減衰効果を持つゴム素材で一体成形されたものであり、前記下蓋７０の中央に結合される。
【００２３】
本考案の共振スピーカは、更に、エナメル線による磁気バイアスコイル９０を含み、前記位置決め具３０が同時に前記音声周波数コイル５０と前記磁気バイアスコイル９０とに囲まれるように、前記磁気バイアスコイル９０が前記音声周波数コイル５０の外周面に設置され、そして前記上磁石２０と前記下磁石６０との代りに上磁気伝導具２０´と下磁気伝導具６０´とを設置しないと、前記磁気バイアスコイル９０と一緒に磁気を伝導することができない。
【００２４】
次に、図２と図３を参照しながら本考案の組付方法および使用状態を詳細に説明する。
【００２５】
本考案の組付方法は、まず、上磁石２０と、位置決め具３０と、磁気駆動伸縮子４０と、音声周波数コイル５０と、下磁石６０とを前記上蓋１０の収容部１１内に順次に入れて、前記上蓋１０の結合部１２に前記下蓋７０の結合部７２を締付けると、前記下蓋７０が下磁石６０、磁気駆動伸縮子４０、上磁石２０と上蓋１０を押付けてこれらを位置決める。
【００２６】
本考案の使用状態は、音声周波数コイル５０に音声周波数の電流を流せ、又は磁気バイアスコイル９０に磁気バイアスの電流を流せると、前記音声周波数コイル５０に音声周波数の磁界が発生し、又は前記磁気バイアスコイル９０に磁気バイアスの磁界が発生し、そして上磁石２０と磁気駆動伸縮子４０と下磁石６０とにて磁界効果が発生され、前記音声周波数コイル５０、又は前記磁気バイアスコイル９０に流せる電流を変化すると、磁界の強度が変化され、且つ前記上蓋１０と前記下蓋７０との間に共振空間Ａが設けてあるので、音声が振動伝導具８０の伝導され、このとき、ユーザが前記振動伝導具８０を音声伝導可能の物質に設置すると音声共振が発生して音声を再生することができ、そして本考案の全体の体積は小さいので、携帯性が良い。
【図面の簡単な説明】
【００２７】
【図１】本考案の分解斜視図である。
【図２】本考案の組合状態の断面図１である。
【図３】本考案の組合状態の断面図２である。
【符号の説明】
【００２８】
１０      上蓋       
１１      収容部
１２      結合部
２０      上磁石
２０´    上磁気伝導具
３０      位置決め具
３１      貫通部
４０      磁気駆動伸縮子
５０      音声周波数コイル
６０      下磁石
６０´    下磁気伝導具
７０      下蓋
７１      収容部
７２      結合部
８０      振動伝導具
９０      磁気バイアスコイル
Ａ        共振空間
【図１】
0003136207.tif 000003
【図２】
0003136207.tif 000004
【図３】
0003136207.tif 000005